【事件の表示】
　平成　８年特許願第５３２０８５号「気管切開用套管」拒絶査定不服審判事件〔平成　８年１０月３１日国際公開、ＷＯ９６／３３７６０、平成１１年　９月２８日国内公表、特表平１１−５１１０３８号〕について、次のとおり審決する。
【結　論】
　本件審判の請求は、成り立たない。
【理　由】
１．手続の経緯
　本願は、平成８年４月１３日（パリ条約による優先権主張１９９５年４月２４日、独国）を国際出願日とする出願であって、平成１８年９月２２日付けで拒絶査定がなされ、これに対して、平成１８年１２月２１日に拒絶査定不服審判の請求がなされたものであり、その請求項１に係る発明（以下、「本願発明」という。）は、平成１７年１２月２２日付け手続補正により補正された明細書の特許請求の範囲の請求項１に記載された事項により特定される、以下のとおりのものである。
「気管フィステルに使用するための気管切開用套管であって、ホース状の外套管（１）とホース状の内套管（１０）を有し、該内套管（１０）を、上記外套管（１）に案内して近位部に係止して套管チューブを形成し、頸部に取り付ける套管板（３）を上記外套管の近位領域に設け、これを通って上記外套管の近位部が延伸し、上記套管チューブを上記套管板（３）に対して、互いに交差する２つの空間軸であるＸ軸及びＹ軸を中心として旋回可能に取り付けた上記気管切開用套管に於いて、
　上記Ｙ軸を中心として旋回する能力は上記外套管（１）の周囲である把持部を把持して当該外套管に回転可能に取り付けたリング（４）によって得られ、上記Ｘ軸を中心として旋回する能力は上記リング（４）に上記套管板（３）を回転可能に取り付けることによって得られ、上記Ｙ軸は、上記外套管の上記リングに取り付けられる部分である前記把持部における中心であるＺ軸と実質的に直交することを特徴とする気管切開用套管。」
　
２.優先権主張・出願日について
　本願について、１９９５年４月２４日を優先日とするパリ条約による優先権主張がなされている。
　ところで、ＷＩＰＯ国際事務局が指定国に送付した「NOTIFICATION CONCERNING SUBMISSION OF PRIORITY DOCUMENTS」（PCT/IB/304）（Date of mailing 09 October 1996）には、「
Priority date:
Date of receipt of priority document:
　また、上記１６ヶ月を経過したことについて、出願人（審判請求人）の責に帰せない理由があるということはできない。
　そうすると、国際出願日及び国内書面（特許法第１８４条の５第１項の規定による書面）が提出された平成９年１０月２３日の時点で有効であった特許協力条約に基づく規則１７．１及び特許協力条約第４８条の規定に従うならば、審判請求人が主張するパリ条約による優先権主張を認めることはできない。
　したがって、本願は、平成８年４月１３日を国際出願日とする、パリ条約による優先権主張が認められない出願である。
　
　なお、請求人は、本件請求の理由において、優先権主張を認めることが、何故、特許権の安定性に影響与えるのか、理由がないと述べている。　
　しかしながら、特許庁においては、従来から、国際出願日時点で有効な特許協力条約に基づく規則に従って優先権主張の認否を行っているところ、本件優先権主張を認めることは、他の同時期出願と扱いを異にすることとなり、公平性の担保できないそのような扱いにより、特許権の安定性に悪影響を与えることは明らかであるから、請求人の主張は採用できない。
　
３.引用例の記載事項
　拒絶査定の拒絶理由に引用された、本願出願日（平成８年４月１３日）前の１９９６年（平成８年）１月４日に頒布された独国特許発明第１９５１４４３３号明細書（以下、「引用例」という）には、以下の記載および図示がある。
(a)特許請求の範囲の第１項
「1. Tracheostomiekanule zum Einsatz in ein Tracheostoma, aufweisend eine schlauchformige Aussenkanule (1), in welche eine ebenfalls schlauchformige Innenkanule (10) fuhrbar und mit der Aussenkanule (1) am proximalen Teil verriegelbar ist, um ein Kanulenrohr zu bilden, wobei im proximalen Bereich der Aussenkanule ein Kanulenschild (3) zur Anlage am Hals angebracht ist, durch welches hindurch der proximale Teil der Aussenkanule (1) greift und wobei das Kanulenrohr gegenuber dem Kanulenschild (3) um zwei Raumachsen (X, Y) verschwenkbar gelagert ist, dadurch gekennzeichnet, dass die Verschwenkbarkeit um die Y-Raumachse erzielt wird durch einen um die Aussenkanule (1) greifenden und an dieser drehgelagerten Ring (4) und die Verschwenkbarkeit um die X- Achse durch die Drehlagerung des Kanulenschildes (3) an dem Ring (4). 」
『１．気管フィステルに使用するための気管切開用套管であって、ホース状の外套管（１）とホース状の内套管（１０）を有し、該内套管（１０）を、外套管（１）に案内して近位部に係止して套管チューブを形成し、頸部に取り付ける套管板（３）を外套管（１）の近位領域に設け、これを通って外套管（１）の近位部が延伸し、套管チューブを套管板（３）に対して、２つの空間軸であるＸ軸及びＹ軸を中心として旋回可能に取り付けた気管切開用套管に於いて、
　Ｙ軸を中心として旋回する能力は外套管（１）の周囲を把持して当該外套管（１）に回転可能に取り付けたリング（４）によって得られ、Ｘ軸を中心として旋回する能力はリング（４）に套管板（３）を回転可能に取り付けることによって得られる、気管切開用套管。』（『』内は、当審による訳。）
　
(b)ZEICHNUNGEN SEITE３及びZEICHNUNGEN SEITE４には、「Ｘ軸及びＹ軸は、互いに交差する２つの空間軸であること」、「Ｙ軸は、外套管（１）の周囲における中心であるＺ軸と実質的に直交すること」及び「外套管（１）の周囲がリング（４）に取り付けられること」の図示がある。
　
　上記(a)及び(b)の記載事項及び図示内容より、引用例には、
「気管フィステルに使用するための気管切開用套管であって、ホース状の外套管（１）とホース状の内套管（１０）を有し、該内套管（１０）を、外套管（１）に案内して近位部に係止して套管チューブを形成し、頸部に取り付ける套管板（３）を外套管（１）の近位領域に設け、これを通って外套管（１）の近位部が延伸し、套管チューブを套管板（３）に対して、互いに交差する２つの空間軸であるＸ軸及びＹ軸を中心として旋回可能に取り付けた気管切開用套管に於いて、
　Ｙ軸を中心として旋回する能力は外套管（１）の周囲を把持して当該外套管（１）に回転可能に取り付けたリング（４）によって得られ、Ｘ軸を中心として旋回する能力はリング（４）に套管板（３）を回転可能に取り付けることによって得られ、Ｙ軸は、リング（４）に取り付けられる外套管（１）の周囲における中心であるＺ軸と実質的に直交する、気管切開用套管。」の発明が開示されている。
　
４．対比・判断
　本願発明と引用例記載の発明とを対比する。
○引用例記載の発明の「気管フィステル」、「気管切開用套管」、「外套管（１）」、「内套管（１０）」、「套管チューブ」、「套管板（３）」、「リング（４）」は、
　本願発明の「気管フィステル」、「気管切開用套管」、「外套管」、「内套管」、「套管チューブ」、「套管板」、「リング」のそれぞれに相当する。
　
○引用例記載の発明において、リング（４）に取り付けられると共にリング（４）が把持する「外套管（１）の周囲」は、リング（４）に取り付けられる部分であると共にリング（４）が把持する把持部であるということができるので、
　引用例記載の発明の「外套管（１）の周囲を把持して当該外套管に回転可能に取り付けたリング」及び「リング（４）に取り付けられる外套管（１）の周囲」は、
　本願発明の「外套管の周囲である把持部を把持して当該外套管に回転可能に取り付けたリング」及び「外套管のリングに取り付けられる部分である把持部（リングに取り付けられる部分である外套管の把持部）」のそれぞれに相当する。
　
　上記より、引用例記載の発明は、
「気管フィステルに使用するための気管切開用套管であって、ホース状の外套管とホース状の内套管を有し、該内套管を、外套管に案内して近位部に係止して套管チューブを形成し、頸部に取り付ける套管板を外套管の近位領域に設け、これを通って外套管の近位部が延伸し、套管チューブを套管板に対して、互いに交差する２つの空間軸であるＸ軸及びＹ軸を中心として旋回可能に取り付けた気管切開用套管に於いて、
　Ｙ軸を中心として旋回する能力は外套管の周囲である把持部を把持して当該外套管に回転可能に取り付けたリングによって得られ、Ｘ軸を中心として旋回する能力はリングに套管板を回転可能に取り付けることによって得られ、Ｙ軸は、外套管のリングに取り付けられる部分である把持部における中心であるＺ軸と実質的に直交する、気管切開用套管。」に相当し、この点において本願発明と一致し、構成において本願発明と異なるところがない。
　
　したがって、本願発明は、引用例記載の発明と区別できないものである。
　
５．むすび
　以上のとおり、本願発明は、引用例に記載されたものであるので、特許法第２９条第１項３号の規定により特許を受けることができない。
　それゆえ、本願は、拒絶すべきものである。
　よって、結論のとおり審決する。